【手続補正書】
【提出日】平成19年6月11日(2007.6.11)
【手続補正１】
【補正対象書類名】特許請求の範囲
【補正対象項目名】全文
【補正方法】変更
【補正の内容】
【特許請求の範囲】
【請求項１】
原稿を読み取って得られる原稿画像に対して、複数種類の機能を実行することが可能な画像処理装置であって、
原稿を読み取る読取手段と、
前記読取手段で読み取られた原稿画像を属性毎に複数のオブジェクトに分割する分割手段と、
前記原稿画像を前記分割手段で分割した各オブジェクト毎にベクトルデータに変換する変換手段と、
前記変換手段によって変換するオブジェクト数の上限値を、複数種類の管理単位毎、かつ前記分割手段で分割可能な属性の種類毎に管理する管理テーブルを保持する保持手段と、
前記変換手段によって変換した属性毎の累積オブジェクト数が、前記管理テーブルで管理されている上限値に達しているか否かを判定する判定手段と、
前記判定手段の判定結果に基づいて、前記変換手段の実行を制限する制限手段と
を備えることを特徴とする画像処理装置。
【請求項２】
前記上限値を前記管理テーブルに設定する設定手段を更に備える
ことを特徴とする請求項１に記載の画像処理装置。
【請求項３】
複数種類の管理単位毎、かつ前記分割手段で分割可能な属性の種類毎に、前記変換手段によって変換するオブジェクト数をカウントするカウンタ手段を更に備える
ことを特徴とする請求項１に記載の画像処理装置。
【請求項４】
前記判定手段の判定の結果、前記変換手段によって変換した属性毎の累積オブジェクト数のいずれかが、前記管理テーブルで管理されている対応する上限値に達している場合、前記制限手段は、それ以降の前記変換手段の実行を禁止する
ことを特徴とする請求項１に記載の画像処理装置。
【請求項５】
前記管理テーブルは、更に、当該画像処理装置で使用可能な機能毎に、前記上限値を管理する
ことを特徴とする請求項１に記載の画像処理装置。
【請求項６】
原稿を読み取って得られる原稿画像に対して、複数種類の機能を実行することが可能な画像処理装置であって、
原稿を読み取る読取手段と、
前記読取手段で読み取られた原稿画像を属性毎に複数のオブジェクトに分割する分割手段と、
前記原稿画像を前記分割手段で分割した各オブジェクト毎にベクトルデータに変換する変換手段と、
前記変換手段の実行を制限するための上限総金額と、前記変換手段で属性別にオブジェクトを変換する場合に課金する単価と、前記変換手段の実行によって算出される前記単価に基づく累積課金額を、複数種類の管理単位毎に管理する課金用管理テーブルを保持する保持手段と、
前記変換手段の実行によって算出された累積課金額が、前記管理テーブルで管理されている上限総金額に達しているか否かを判定する判定手段と、
前記判定手段の判定結果に基づいて、前記変換手段の実行を制限する制限手段と
を備えることを特徴とする画像処理装置。
【請求項７】
前記上限総金額、前記単価を前記課金用管理テーブルに設定する設定手段を更に備える
ことを特徴とする請求項６に記載の画像処理装置。
【請求項８】
複数種類の管理単位毎、かつ前記分割手段で分割可能な属性の種類毎に、前記変換手段によって変換するオブジェクト数をカウントするカウンタ手段を更に備える
ことを特徴とする請求項６に記載の画像処理装置。
【請求項９】
前記判定手段の判定の結果、前記変換手段の実行によって算出された累積課金額が、前記課金用管理テーブルで管理されている上限総金額に達している場合、前記制限手段は、それ以降の前記変換手段の実行を禁止する
ことを特徴とする請求項６に記載の画像処理装置。
【請求項１０】
前記課金用管理テーブルは、更に、当該画像処理装置で使用可能な機能毎に、前記上限総金額を管理する
ことを特徴とする請求項６に記載の画像処理装置。
【請求項１１】
原稿を読み取って得られる原稿画像に対して、複数種類の機能を実行することが可能な画像処理装置の制御方法であって、
読取部で読み取られた原稿画像を属性毎に複数のオブジェクトに分割する分割工程と、
前記原稿画像を前記分割工程で分割した各オブジェクト毎にベクトルデータに変換する変換工程と、
前記変換工程によって変換するオブジェクト数の上限値を、複数種類の管理単位毎、かつ前記分割工程で分割可能な属性の種類毎に管理する管理テーブルを記憶媒体に保持する保持工程と、
前記変換工程によって変換した属性毎の累積オブジェクト数が、前記管理テーブルで管理されている上限値に達しているか否かを判定する判定工程と、
前記判定工程の判定結果に基づいて、前記変換工程の実行を制限する制限工程と
を備えることを特徴とする画像処理装置の制御方法。
【請求項１２】
原稿を読み取って得られる原稿画像に対して、複数種類の機能を実行することが可能な画像処理装置の制御方法であって、
読取部で読み取られた原稿画像を属性毎に複数のオブジェクトに分割する分割工程と、
前記原稿画像を前記分割工程で分割した各オブジェクト毎にベクトルデータに変換する変換工程と、
前記変換工程の実行を制限するための上限総金額と、前記変換工程で属性別にオブジェクトを変換する場合に課金する単価と、前記変換工程の実行によって算出される前記単価に基づく累積課金額を、複数種類の管理単位毎に管理する課金用管理テーブルを記憶媒体に保持する保持工程と、
前記変換工程の実行によって算出された累積課金額が、前記管理テーブルで管理されている上限総金額に達しているか否かを判定する判定工程と、
前記判定工程の判定結果に基づいて、前記変換工程の実行を制限する制限工程と
を備えることを特徴とする画像処理装置の制御方法。
【請求項１３】
原稿を読み取って得られる原稿画像に対して、複数種類の機能を実行することが可能な画像処理装置の制御を、コンピュータに実行させるためのプログラムであって、
読取部で読み取られた原稿画像を属性毎に複数のオブジェクトに分割する分割工程と、
前記原稿画像を前記分割工程で分割した各オブジェクト毎にベクトルデータに変換する変換工程と、
前記変換工程によって変換するオブジェクト数の上限値を、複数種類の管理単位毎、かつ前記分割工程で分割可能な属性の種類毎に管理する管理テーブルを記憶媒体に保持する保持工程と、
前記変換工程によって変換した属性毎の累積オブジェクト数が、前記管理テーブルで管理されている上限値に達しているか否かを判定する判定工程と、
前記判定工程の判定結果に基づいて、前記変換工程の実行を制限する制限工程と
をコンピュータに実行させることを特徴とするプログラム。
【請求項１４】
原稿を読み取って得られる原稿画像に対して、複数種類の機能を実行することが可能な画像処理装置の制御をコンピュータに実行させるためのプログラムであって、
読取部で読み取られた原稿画像を属性毎に複数のオブジェクトに分割する分割工程と、
前記原稿画像を前記分割工程で分割した各オブジェクト毎にベクトルデータに変換する変換工程と、
前記変換工程の実行を制限するための上限総金額と、前記変換工程で属性別にオブジェクトを変換する場合に課金する単価と、前記変換工程の実行によって算出される前記単価に基づく累積課金額を、複数種類の管理単位毎に管理する課金用管理テーブルを記憶媒体に保持する保持工程と、
前記変換工程の実行によって算出された累積課金額が、前記管理テーブルで管理されている上限総金額に達しているか否かを判定する判定工程と、
前記判定工程の判定結果に基づいて、前記変換工程の実行を制限する制限工程と
をコンピュータに実行させることを特徴とするプログラム。